(57)【要約】【課題】常時使用する側のチューナに入力する高周波分配信号を増幅する必要がなく、その分消費電力の少ない受信装置を提供する。【解決手段】分配器２は、高周波信号入力端子１から入力された高周波入力信号を高周波分配信号に分配する際に、第１の高周波分配信号および第２の高周波分配信号の電力比率を所定の電力比率とし、電力比率が低い第１の高周波分配信号を信号増幅器３へ出力し、電力比率が高い第２の高周波分配信号を第２チューナ４へ出力し、信号増幅器３は、増幅した高周波分配信号を前記第１チューナ５へ出力する。【選択図】    図１
2015070407.tif 000002
【特許請求の範囲】
【請求項１】
高周波入力信号を分配する分配手段と、前記分配手段が出力する複数の高周波分配信号のいずれかを増幅する高周波増幅手段と、第１のチューナと、前記第１のチューナより稼働率が高い第２のチューナと、を有する受信装置であって、
前記分配手段は、前記高周波入力信号を第１の高周波分配信号および第２の高周波分配信号に分配する際に、前記第１の高周波分配信号および第２の高周波分配信号の電力比率を所定の電力比率とし、電力が小さい側の前記第１の高周波分配信号を前記高周波増幅手段へ出力し、電力が大きい側の前記第２の高周波分配信号を前記第２のチューナへ出力し、
前記高周波増幅手段は、増幅した高周波分配信号を前記第１のチューナへ出力することを特徴とする複数のチューナを有する受信装置。
【請求項２】
請求項１に記載の受信装置であって、
前記第２のチューナは、自受信装置の電源スイッチの状態に関わらず稼働していることを特徴とする複数のチューナを有する受信装置。
【発明の詳細な説明】
【技術分野】
【０００１】
本発明は、複数のチューナを有する受信装置に関する。
【背景技術】
【０００２】
従来の複数チューナを有する受信装置として、高周波入力信号を分配器へ入力し、分配器で分配された各高周波分配信号は、減衰器により伝送経路長に応じて減衰量が調整され、各チューナに入力されるという技術が知られている（例えば、特許文献１）。
【０００３】
しかしながら、特許文献１の受信装置では、分配器の前段に高周波増幅器を設けることで減衰された信号レベルを補う必要がある。そのため、チューナのいずれかを常時起動する場合、高周波増幅器に常時給電する必要があるので、消費電力が大きいという欠点があった。
【先行技術文献】
【特許文献】
【０００４】
【特許文献１】特開２０１３−０３０９６０号公報
【発明の概要】
【発明が解決しようとする課題】
【０００５】
本発明は上記の欠点を鑑みてなされたものであり、本発明の課題は、複数のチューナのいずれかを常時起動する場合に、常時起動する側のチューナに入力する高周波分配信号を増幅する必要がなく、消費電力の少ない受信装置を提供することにある。
【課題を解決するための手段】
【０００６】
上記課題を解決するために、本発明は、高周波入力信号を分配する分配手段と、前記分配手段が出力する複数の高周波分配信号のいずれかを増幅する高周波増幅手段と、第１のチューナと、前記第１のチューナより稼働率が高い第２のチューナと、を有する受信装置であって、前記分配手段は、前記高周波入力信号を第１の高周波分配信号および第２の高周波分配信号に分配する際に、前記第１の高周波分配信号および第２の高周波分配信号の電力比率を所定の電力比率とし、電力が小さい側の前記第１の高周波分配信号を前記高周波増幅手段へ出力し、電力が大きい側の前記第２の高周波分配信号を前記第２のチューナへ出力し、前記高周波増幅手段は、増幅した高周波分配信号を前記第１のチューナへ出力することを特徴とする。
【発明の効果】
【０００７】
本発明によれば、常時使用する側のチューナに入力する高周波分配信号を増幅する必要がなく、その分消費電力の少ない受信装置を提供できる。
【図面の簡単な説明】
【０００８】
【図１】本発明における複数チューナを有する受信装置を示す機能ブロック図である。
【発明を実施するための形態】
【０００９】
以下、図面を用いて本発明の複数のチューナを有する受信装置における実施例を説明する。ここで、本発明の最適な実施例として緊急告知ラジオを挙げて説明する。緊急告知ラジオとは、二つ以上のチューナを有しており、ラジオ放送設備より送信される一般音声放送波と、災害時等に送信される緊急告知放送波を同時に受信することが可能なラジオ受信装置の事を示す。
【００１０】
図１は、本発明における複数チューナを有する受信装置を示す機能ブロック図である。受信装置１０は、１の高周波信号入力端子と、２の分配器と、３の信号増幅器と、４の第１チューナと、５の第２チューナと、６の電源スイッチと、７の電源装置で構成されており、８の再生装置に接続されている。
【００１１】
高周波信号入力端子１はアンテナ等から、十分にＳ／Ｎ比の確保された緊急告知放送波及び、一般音声放送波の高周波信号を受信し、分配器２に入力する。
【００１２】
分配器２は、高周波信号入力端子１から入力された高周波信号の分配比率を調整して、分配された高周波分配信号を信号増幅器３及び第２チューナ４へ入力する。第２チューナ４へ入力する高周波分配信号は、第２チューナ４の要求する信号レベルを満足できる信号レベルに調整し、また信号増幅器３へ入力する高周波分配信号の信号レベルは、第２チューナ４へ入力する高周波分配信号の信号レベルより低く調整する。
【００１３】
信号増幅器３は、入力された高周波分配信号を第２チューナ４へ入力された高周波分配信号の信号レベルと同等になるよう増幅して、第１チューナ５へ入力する。
【００１４】
ここで、分配器２の分配比率が１：６の場合として説明する。高周波信号入力端子１に入力された高周波信号の信号レベルを０ｄＢｍとすると、第２チューナ４へ入力する高周波分配信号の信号レベルを−２．３ｄＢｍ、信号増幅器３へ入力する高周波分配信号の信号レベルを−１０ｄＢｍに分配比率を調整してそれぞれ入力する。
【００１５】
次に、信号増幅器３は分配器２から入力される高周波分配信号の信号レベル−１０ｄＢｍを、第２チューナ４へ入力される高周波分配信号の信号レベルと同じ−２．３ｄＢｍまで増幅するため、７．７ｄＢの信号増幅を行う。
【００１６】
第２チューナ４は、常時起動して緊急告知放送波を受信する、第１チューナ５より稼働率が高いチューナである。
【００１７】
第１チューナ５は、一般音声放送波を受信するチューナである。
【００１８】
第１チューナ５及び第２チューナ４は、高周波分配信号を復調し音声信号として再生装置８に入力する。再生装置８は第１チューナ５及び第２チューナ４から入力された音声信号を出力する。また、第２チューナ４から入力された音声信号をデータへ変換し災害情報等を告知する。
【００１９】
電源スイッチ６は、一般音声放送の受信を行わない場合に使用者が切替操作を行うスイッチであり、信号増幅器３及び第１チューナ５の電源供給を切り、第１チューナ５から再生装置８への音声信号の入力を止める。
【００２０】
電源装置７は、電源スイッチ６に接続されており受信装置１０に電源を供給する。
【００２１】
ここで、一般音声放送波は受信装置１０の使用者が任意で聴取を開始・終了できるものであり、聴取をしていない場合は信号増幅器３、第１チューナ５の電源供給を切り、第１チューナ５から再生装置８への音声信号の入力を止める事により、第２チューナ４が常時起動していても受信装置１０の消費電力を小さく出来るという効果が得られる。
【００２２】
以上、本発明の実施例について説明したが、本発明はこれに限定されない。本実施例においては簡単化のためチューナを二つとして説明しているが、二つ以上のチューナを有するものであってもよい。
【００２３】
また、本実施例においては分配比率及び信号増幅率を例示しているが、分配器２と信号増幅器３は第２チューナ４及び第１チューナ５の要求する信号レベルを満足すればよく、この限りではない。
【００２４】
また、第２チューナ４は常時稼働しており、緊急告知放送波を常に受信し続けている。そのため緊急告知放送が開始された場合に、信号増幅器３及び第１チューナ５への給電を遮断する事で緊急告知放送の聴取時間を延ばすようにしてもよい。
【符号の説明】
【００２５】
１・・・高周波信号入力端子
２・・・分配器
３・・・信号増幅器
４・・・第２チューナ
５・・・第１チューナ
６・・・電源スイッチ
７・・・電源装置
８・・・再生装置
１０・・・受信装置
【図１】
2015070407.tif 000003